(57)【要約】      （修正有）【課題】複数の端子金具と複数の被覆電線とを一括して導通接続することができ、同時に、被覆電線が接続された複数の端子金具がコネクタハウジングに収容されて保護された状態を得ることもでき、複数の被覆電線と複数の端子金具との接続作業性を大幅に改善することができる電線と端子の接続構造を提供すること。【解決手段】複数の端子金具１０を所定の配列ピッチで平面状に収容する端子収容部２１と、複数の被覆電線を平面状に収容する電線収容部２２と、各端子金具の端子嵌合部１１の一部及び各被覆電線の一部を外部に露呈させる開口部２３と、を備えた絶縁樹脂製のコネクタハウジング２０に、ハウジングカバー３０を取り付けることで、ハウジングカバー内面に装備した複数の電線接続針４０の突刺針部４１を被覆電線に突き刺すと共に、電線接続針の端子接触部４２を端子嵌合部に重ねて、複数の被覆電線と複数の端子金具とを一括して導通接続させる。【選択図】図１
2014022274.tif 000002
【特許請求の範囲】
【請求項１】
複数本の素線を撚り束ねた芯線と、この芯線の周囲を覆う絶縁被覆と、を有する複数の被覆電線と、
相手の接続端子に嵌合接続する端子嵌合部を有した複数の端子金具と、
複数の前記端子金具を所定の配列ピッチで平面状に収容する端子収容部と、該端子収容部に隣接する位置において複数の前記被覆電線を平面状に収容する電線収容部と、前記端子収容部と前記電線収容部とに跨る範囲を外部に開放して各前記端子金具の前記端子嵌合部の一部及び各前記被覆電線の一部を外部に露呈させる開口部と、を備えた絶縁樹脂製のコネクタハウジングと、
前記開口部を開閉可能に覆うハウジングカバーと、
前記ハウジングカバーにより前記開口部を覆うカバー取り付け操作で前記被覆電線に突き刺さって前記芯線と導通状態になる突刺針部と、該突刺針部の端部に連設されて前記カバー取り付け操作で前記端子嵌合部の上に重なり前記端子嵌合部と導通状態になる端子接触部と、を備え、複数の前記端子金具の配列ピッチに相応する配列ピッチで前記ハウジングカバーの内面に装備された導電材料製の複数の電線接続針と、
を備え、
複数の前記端子金具と複数の前記被覆電線とを収容させた前記コネクタハウジングの前記開口部に前記カバー取り付け操作を行うことで、複数の前記被覆電線と複数の前記端子金具との導通接続が完了し、また、複数の前記被覆電線と複数の前記端子金具とが前記コネクタハウジングに収容されて保護された状態になることを特徴とする電線と端子の接続構造。
【請求項２】
前記突刺針部は、前記被覆電線の軸線方向と鋭角な進入角で交差する傾斜状態に、前記ハウジングカバーに取り付けられ、
前記ハウジングカバーは、前記進入角に沿って前記コネクタハウジングに取り付けられることで、前記突刺針部が前記被覆電線に対して傾斜状態に突き刺さった状態が得られることを特徴とする請求項１に記載の電線と端子の接続構造。
【請求項３】
前記端子嵌合部の前記端子接触部が重なる位置には、前記端子接触部が重なったときに圧縮変形して、所定の接触圧を発生する導電材料製のばね部材が装備されていることを特徴とする請求項１又は２に記載の電線と端子の接続構造。
【発明の詳細な説明】
【技術分野】
【０００１】
本発明は、電線と端子の接続構造に関する。
【背景技術】
【０００２】
図１１（ａ）〜図１１（ｅ）は、下記特許文献１に開示された電線と端子の接続構造である。
この電線と端子の接続構造は、被覆電線１００を、金属製の端子金具１１０に導通接続する構造である。
【０００３】
被覆電線１００は、図１１（ａ）に示すように、複数本の素線を撚り束ねた芯線１０２と、この芯線１０２の周囲を覆う絶縁被覆１０３と、を有した構造である。この被覆電線１００は、図１１（ｂ）に示すように、先端部を、偏平に押しつぶした偏平部１０５に整形する。そして、図１１（ｃ）に示すように、偏平部１０５を端子金具１１０に縦添えする。
【０００４】
端子金具１１０は、図１１（ｃ）に示すように、被覆電線１００を縦添え状態に載置する略棒状の電線縦添え部１１１を有している。更に、この電線縦添え部１１１の一側には、電線縦添え部１１１に縦添えされる被覆電線１００に突き刺さることで芯線１０２と導通接続状態になる突刺針部１１２が一体形成されている。突刺針部１１２は、電線縦添え部１１１の延在方向と直交する方向に突出して設けられた針状突起で、電線縦添え部１１１に縦添えされる偏平部１０５を垂直に貫通する。
【０００５】
特許文献１に開示の電線と端子の接続構造では、図１１（ｄ）に示すように、電線縦添え部１１１に縦添えすることで偏平部１０５に突刺針部１１２が貫通した状態となった被覆電線１００は、矢印Ｍ１で示すように、芯線１０２の撚り方向に電線自体を捻って、芯線１０２と突刺針部１１２との密着性を高める。次いで突刺針部１１２の貫通部位の外側に、断面コ字状の加締め金具１２０を取り付ける。
【０００６】
加締め金具１２０は、偏平部１０５の上に被さる上壁部１２１に、偏平部１０５を貫通した突刺針部１１２の先端を挿通させる針通し穴１２２が貫通形成されている。また、上壁部１２１の後端側内面には、被覆電線１００の外周を位置決めする円弧面状の電線押え部１２３が形成されている。
【０００７】
特許文献１の電線と端子の接続構造では、図１１（ｅ）に示すように、突刺針部１１２の貫通部位の外側に、加締め金具１２０を加締め付けたら、被覆電線１００と端子金具１１０の導通接続が完了する。
【０００８】
被覆電線１００の導通接続が完了した端子金具１１０は、この後、不図示のコネクタハウジングの端子収容孔に挿入装着されて、相手端子への嵌合接続が可能になる。
【０００９】
この特許文献１における電線と端子の接続構造の場合、端子金具を接続する被覆電線は、被覆を剥がさずに、端子金具に接続することができる。そのため、被覆電線の被覆を所定長に渡って剥ぎ取った後に、露出した電線導体の上に端子金具の加締め片を加締め付ける従来の圧着式の端子金具を用いる場合と比較すると、電線の接続作業を容易にすることができる。
【先行技術文献】
【特許文献】
【００１０】
【特許文献１】特開２００３−２４３０６０号公報
【発明の概要】
【発明が解決しようとする課題】
【００１１】
ところが、前述した特許文献１の電線と端子の接続構造の場合、接続する端子金具と被覆電線が複数の場合、端子金具と被覆電線との接続作業を複数回繰り返し実行しなければならず、接続する端子金具及び被覆電線の数量が多くなるほど、作業負担が増加すると言う問題があった。
【００１２】
また、端子金具をコネクタ接続する場合には、被覆電線の接続が終わった端子金具を、一本ずつ、樹脂製のコネクタハウジングに挿入装着する作業が必要になり、端子金具をコネクタハウジングに収容する形態にするにも、多大な労力がかかるという問題があった。
【００１３】
そこで、本発明の目的は、上記課題を解消することに係り、複数の端子金具と複数の被覆電線とを一括して導通接続することができ、同時に、被覆電線が接続された複数の端子金具がコネクタハウジングに収容されて保護された状態を得ることができ、複数の被覆電線と複数の端子金具との接続作業性を大幅に改善することができる電線と端子の接続構造を提供することにある。
【課題を解決するための手段】
【００１４】
本発明の前述した目的は、下記の構成により達成される。
（１）  複数本の素線を撚り束ねた芯線と、この芯線の周囲を覆う絶縁被覆と、を有する複数の被覆電線と、
相手の接続端子に嵌合接続する端子嵌合部を有した複数の端子金具と、
複数の前記端子金具を所定の配列ピッチで平面状に収容する端子収容部と、該端子収容部に隣接する位置において複数の前記被覆電線を平面状に収容する電線収容部と、前記端子収容部と前記電線収容部とに跨る範囲を外部に開放して各前記端子金具の前記端子嵌合部の一部及び各前記被覆電線の一部を外部に露呈させる開口部と、を備えた絶縁樹脂製のコネクタハウジングと、
前記開口部を開閉可能に覆うハウジングカバーと、
前記ハウジングカバーにより前記開口部を覆うカバー取り付け操作で前記被覆電線に突き刺さって前記芯線と導通状態になる突刺針部と、該突刺針部の端部に連設されて前記カバー取り付け操作で前記端子嵌合部の上に重なり前記端子嵌合部と導通状態になる端子接触部と、を備え、複数の前記端子金具の配列ピッチに相応する配列ピッチで前記ハウジングカバーの内面に装備された導電材料製の複数の電線接続針と、
を備え、
複数の前記端子金具と複数の前記被覆電線とを収容させた前記コネクタハウジングの前記開口部に前記カバー取り付け操作を行うことで、複数の前記被覆電線と複数の前記端子金具との導通接続が完了し、また、複数の前記被覆電線と複数の前記端子金具とが前記コネクタハウジングに収容されて保護された状態になることを特徴とする電線と端子の接続構造。
【００１５】
（２）  前記突刺針部は、前記被覆電線の軸線方向と鋭角な進入角で交差する傾斜状態に、前記ハウジングカバーに取り付けられ、
前記ハウジングカバーは、前記進入角に沿って前記コネクタハウジングに取り付けられることで、前記突刺針部が前記被覆電線に対して傾斜状態に突き刺さった状態が得られることを特徴とする上記（１）に記載の電線と端子の接続構造。
【００１６】
（３）  前記端子嵌合部の前記端子接触部が重なる位置には、前記端子接触部が重なったときに圧縮変形して、所定の接触圧を発生する導電材料製のばね部材が装備されていることを特徴とする上記（１）又は（２）に記載の電線と端子の接続構造。
【００１７】
上記（１）の構成によれば、複数の端子金具と複数の絶縁被覆と接続した接続構造を得る場合、次の第１の作業と、第２の作業を順に行えば良い。
【００１８】
第１の作業は、複数の端子金具が端子収容部に配列済みのコネクタハウジングの電線収容部に、複数の被覆電線を配列する作業である。電線収容部に収容する被覆電線は、被覆の剥ぎ取りをせずに、被覆を付けたまま単純に配列していくだけで良い。
【００１９】
第２の作業は、被覆電線の配列を済ませたコネクタハウジングの開口部に、ハウジングカバーを取り付ける作業である。
【００２０】
第２の作業を行うと、ハウジングカバーの内面に装備されている複数の電線接続針の突刺針部が、一括して、複数の被覆電線の芯線に突き刺さり、それぞれの被覆電線と導通状態になる。また、同時に、複数の電線接続針の端子接触部が、一括して、複数の端子金具の端子嵌合部に重なって、それぞれの端子金具と導通状態になる。
【００２１】
従って、第２の作業を行うことで、複数の端子金具と複数の被覆電線とを一括して導通接続することができる。
【００２２】
また、第２の作業が完了すると、コネクタハウジングの開口部がハウジングカバーによって閉じられた状態になり、複数の端子金具はコネクタハウジングに収容されて保護された状態となる。そのため、端子金具と被覆電線との接続部が外部の構造物等と干渉することがなく、安全に取り扱うことができる。
【００２３】
従って、上記（１）の構成によれば、複数の端子金具と複数の絶縁被覆と接続した接続構造を得る場合、第１の作業と第２の作業との２つの作業を順に行えば良く、複数の被覆電線と複数の端子金具との接続作業性を大幅に改善することができる。
【００２４】
上記（２）の構成によれば、電線接続針の突刺針部は、芯線に対して傾斜した状態で突き刺さっており、突刺針部が芯線に対して直交方向に突き刺さる従来の接続構造の場合と比較すると、芯線と突刺針部との接触長が長くなり、電気的な接続性能を向上させることができる。
【００２５】
上記（３）の構成によれば、構成部品の組立誤差等によって、コネクタハウジング内の端子金具の端子嵌合部と、該端子嵌合部上に重ねられる電線接続針の端子接触部との間の寸法にばらつきが発生する場合でも、端子嵌合部と端子接触部との間に介在するばね部材の圧縮変形が、寸法のばらつきを吸収して、端子嵌合部と端子接触部との間に安定した接触圧を確保することができる。従って、組立誤差の影響で端子金具と電線接続針との電気的な接続性能が低下することがなく、良好な接続性能を維持することができる。
【発明の効果】
【００２６】
本発明による電線と端子の接続構造によれば、複数の端子金具が端子収容部に配列済みのコネクタハウジングの電線収容部に複数の被覆電線を配列する第１の作業と、第１の作業を済ませたコネクタハウジングの開口部にハウジングカバーを取り付ける第２の作業と、を順に行うだけで、複数の端子金具と複数の被覆電線とを一括して導通接続することができる。また、同時に、第２の作業が完了すると、コネクタハウジングの開口部がハウジングカバーによって閉じられた状態になり、複数の端子金具はコネクタハウジングに収容されて保護された状態となる。そのため、端子金具と被覆電線との接続部が外部の構造物等と干渉することがなく、安全に取り扱うことができる。
【００２７】
従って、本発明による電線と端子の接続構造によれば、複数の端子金具と複数の被覆電線と接続した接続構造を得る場合、次の第１の作業と、第２の作業を順に行えば良く、複数の被覆電線と複数の端子金具との接続作業性を大幅に改善することができる。
【００２８】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００２９】
【図１】図１は本発明に係る電線と端子の接続構造の第１実施形態で使用されるコネクタハウジングハウジングとハウジングカバーの分解側面図である。
【図２】図２は図１のコネクタハウジングに複数の被覆電線が配列された状態の側面図である。
【図３】図３は図２に示したコネクタハウジングの開口部にハウジングカバーが取り付けられ、複数の端子金具と複数の被覆電線との導通接続が完了した状態の側面図である。
【図４】図４は図３のコネクタハウジングの平面図である。
【図５】図５（ａ）及び図５（ｂ）は電線接続針の突刺針部の傾きの有無で、突刺針部と芯線との間の接触長が相異することの説明図である。
【図６】図６は本発明に係る電線と端子の接続構造の第２実施形態で使用されるコネクタハウジングハウジングの側面図である。
【図７】図７は図６のコネクタハウジングに複数被覆電線が配列された状態の側面図である。
【図８】図８は図７に示したコネクタハウジングの開口部にハウジングカバーが取り付けられた状態の側面図である。
【図９】図９は図８のコネクタハウジングの平面図である。
【図１０】図１０（ａ）及び図１０（ｂ）は第２実施形態で装備したばね部材の作用説明図である。
【図１１】図１１（ａ）〜図１１（ｅ）は従来の電線と端子の接続構造の説明図である。
【発明を実施するための形態】
【００３０】
以下、本発明に係る電線と端子の接続構造の好適な実施形態について、図面を参照して詳細に説明する。
【００３１】
図１〜図４は本発明に係る電線と端子の接続構造の第１実施形態を示したもので、図１は本発明の第１実施形態の電線と端子の接続構造で使用されるコネクタハウジングとハウジングカバーの分解側面図、図２は図１のコネクタハウジングに複数の被覆電線が配列された状態の側面図、図３は図２に示したコネクタハウジングの開口部にハウジングカバーが取り付けられ、複数の端子金具と複数の被覆電線との導通接続が完了した状態の側面図、図４は図３のコネクタハウジングの平面図である。
【００３２】
この第１実施形態の電線と端子の接続構造は、複数の被覆電線１００と、複数の端子金具１０と、単一のコネクタハウジング２０と、単一のハウジングカバー３０と、複数の電線接続針４０と、を使用する。
【００３３】
被覆電線１００は、図１１（ａ）に示した被覆電線１００と同一構造の電線であり、複数本の素線を撚り束ねた芯線１０２と、この芯線１０２の周囲を覆う絶縁被覆１０３と、を有した構造である。
【００３４】
端子金具１０は、金属板のプレス成形品で、相手の接続端子（不図示）に嵌合接続する筒構造の端子嵌合部１１と、この端子嵌合部１１の底壁を後端側に舌片状に延出させた電線載置部１２と、を備える。図示はしていないが、電線載置部１２には、被覆電線１００を載置する断面形状が半円弧状あるいはＶ字状の溝が装備されている。
【００３５】
コネクタハウジング２０は、絶縁樹脂製で、端子収容部２１と、電線収容部２２と、開口部２３と、を備える。コネクタハウジング２０内には、端子金具１０が短絡しないように隔壁２４が設けられている。
【００３６】
端子収容部２１は、端子金具１０の端子嵌合部１１を収容する孔である。コネクタハウジング２０には、配列する端子金具１０の数量分だけ、端子収容部２１が所定の配列ピッチで平面状に形成されている。コネクタハウジング２０の複数の端子収容部２１は、複数の端子金具を所定の配列ピッチで平面状に収容する。
【００３７】
電線収容部２２は、端子収容部２１に隣接する位置に装備された収容部である。この電線収容部２２は、端子収容部２１に収容された複数の端子金具１０の電線載置部１２と、複数の被覆電線１００の端部と、を収容する。
【００３８】
電線収容部２２においては、図４に示すように、その底壁２２ａ上に、複数の電線載置部１２を平面状に配列した状態に支持する。更に、底壁２２ａ上に配列された各電線載置部１２の上に、被覆電線１００の端部を載置することで、電線収容部２２は、被覆電線１００を平面状に収容する。
【００３９】
開口部２３は、図１に示すように、コネクタハウジング２０の上面部において、端子収容部２１と電線収容部２２とに跨る範囲Ｈを外部に開放して、各端子金具１０の端子嵌合部１１の一部、及び各被覆電線１００の一部（又は全部）を外部に露呈させる。
【００４０】
ハウジングカバー３０は、開口部２３を開閉可能に覆うカバー部材である。ハウジングカバー３０は、コネクタハウジング２０と同等の絶縁性樹脂で形成されている。ハウジングカバー３０は、図示はしていないが、係止突起等による係脱により、コネクタハウジング２０に着脱可能になっている。
【００４１】
電線接続針４０は、端子収容部２１における複数の端子金具１０の配列ピッチに相応する配列ピッチで、ハウジングカバー３０の内面に装備されている。電線接続針４０は、導電材料製である。電線接続針４０は、突刺針部４１と、端子接触部４２と、を備えている。
【００４２】
突刺針部４１は、ハウジングカバー３０により開口部２３を覆うカバー取り付け操作で被覆電線１００に突き刺さって、芯線１０２と導通状態になる部位である。
【００４３】
本実施形態の場合、突刺針部４１は、図１に示すように、被覆電線１００の軸線方向と直交する方向に対して鋭角な進入角θで交差する傾斜状態に、ハウジングカバー３０に取り付けられている。
【００４４】
そのため、ハウジングカバー３０は、図２に示すように、進入角θに沿う挿入操作によってコネクタハウジング２０に取り付けることで、突刺針部４１が被覆電線１００に対して傾斜状態に突き刺さった状態が得られる。
【００４５】
端子接触部４２は、突刺針部４１の端部に連設されている。端子接触部４２は、カバー取り付け操作でハウジングカバー３０が開口部２３に取り付けられたときに、図３に示すように、端子嵌合部１１の上に重なり、端子嵌合部１１と導通状態になる。
【００４６】
本実施形態の電線と端子の接続構造は、図２に示したように、複数の端子金具１０と複数の被覆電線１００とを収容させたコネクタハウジング２０の開口部２３にハウジングカバー３０を取り付けるカバー取り付け操作を行うことで、複数の被覆電線１００と複数の端子金具１０との導通接続が完了する。更に、カバー取り付け操作を行うことで、図３及び図４に示すように、複数の被覆電線１００と複数の端子金具１０とがコネクタハウジング２０に収容されて保護された状態になる。
【００４７】
以上に説明した第１実施形態の電線と端子の接続構造では、複数の端子金具１０と複数の絶縁被覆１０３と接続した接続構造を得る場合、次の第１の作業と、第２の作業を順に行えば良い。
【００４８】
第１の作業は、図１に示したように複数の端子金具１０が端子収容部２１に配列済みのコネクタハウジング２０の電線収容部２２に、複数の被覆電線１００を配列する作業である。電線収容部２２に収容する被覆電線１００は、被覆の剥ぎ取りをせずに、被覆を付けたまま単純に配列していくだけで良い。
第２の作業は、図２に示すように、被覆電線１００の配列を済ませたコネクタハウジング２０の開口部２３に、ハウジングカバー３０を取り付ける作業である。
【００４９】
第２の作業を行うと、図３及び図４に示すように、ハウジングカバー３０の内面に装備されている複数の電線接続針４０の突刺針部４１が、一括して、複数の被覆電線１００の芯線１０２に突き刺さり、それぞれの被覆電線１００と導通状態になる。
【００５０】
また、同時に、複数の電線接続針４０の端子接触部４２が、一括して、複数の端子金具１０の端子嵌合部１１に重なって、それぞれの端子金具１０と導通状態になる。
【００５１】
従って、第２の作業を行うことで、複数の端子金具１０と複数の被覆電線１００とを一括して導通接続することができる。
【００５２】
また、第２の作業が完了すると、コネクタハウジング２０の開口部２３がハウジングカバー３０によって閉じられた状態になり、複数の端子金具１０はコネクタハウジング２０に収容されて保護された状態となる。そのため、端子金具１０と被覆電線１００との接続部が外部の構造物等と干渉することがなく、安全に取り扱うことができる。
【００５３】
従って、以上に説明した第１実施形態の電線と端子の接続構造では、複数の端子金具１０と複数の絶縁被覆１０３と接続した接続構造を得る場合、第１の作業と第２の作業との２つの作業を順に行えば良く、複数の被覆電線１００と複数の端子金具１０との接続作業性を大幅に改善することができる。
【００５４】
また、以上に説明した第１実施形態の電線と端子の接続構造では、電線接続針４０の突刺針部４１は、図５（ｂ）に示すように、芯線１０２に対して前述の進入角θで傾斜した状態で突き刺さっており、芯線１０２との接触長がＬ１となる。
【００５５】
これに対して、図５（ａ）に示すように、突刺針部４１が芯線１０２に対して直交方向に突き刺さる従来の接続構造の場合は、芯線１０２との接触長がＬ２となり、第１実施形態の場合よりも接触長が短い。
【００５６】
即ち、図５（ｂ）に示す第１実施形態の接続構造では、図５（ａ）に示す従来の接続構造と比較すると、芯線１０２と突刺針部４１との接触長が長くなり、電気的な接続性能を向上させることができる。
【００５７】
図６〜図１０は本発明に係る電線と端子の接続構造の第２実施形態を示したもので、図６は本発明に係る電線と端子の接続構造の第２実施形態で使用されるコネクタハウジングハウジングの側面図、図７は図６のコネクタハウジングに複数被覆電線が配列された状態の側面図、図８は図７に示したコネクタハウジングの開口部にハウジングカバーが取り付けられた状態の側面図、図９は図８のコネクタハウジングの平面図、図１０は第２実施形態で装備したばね部材の作用説明図である。
【００５８】
この第２実施形態の電線と端子の接続構造は、第１実施形態に示した端子金具１０の一部を改良した端子金具１０Ａが使用される。ハウジングカバー３０には穴３０ａが形成され、コネクタハウジング２０には穴３０ａに係止される突起２０ａが形成されている。
【００５９】
この第２実施形態の端子金具１０Ａは、図６に示すように、端子嵌合部１１の端子接触部４２が重なる位置に、導電材料製のばね部材１５を追加装備したものである。ばね部材１５は、所謂板ばねで、電線接続針４０の端子接触部４２が重なったときに圧縮変形して、所定の接触圧を発生する。
【００６０】
図１０（ａ）は、ばね部材１５が圧縮変形する前の無負荷時の高さ寸法ｈ１を示し、図１０（ｂ）はばね部材１５が端子接触部４２による押圧力で圧縮変形した時の高さ寸法ｈ２を示している。
【００６１】
この第２実施形態の電線と端子の接続構造では、ばね部材１５を追加装備した点以外の構成は第１実施形態と共通でよく、第１実施形態と共通の構成については、同番号を付して説明を省略する。
【００６２】
この第２実施形態の電線と端子の接続構造の場合も、複数の端子金具１０Ａと複数の絶縁被覆１０３と接続した接続構造を得るには、前述の第１の作業と、第２の作業を順に行えば良い。
【００６３】
この第２実施形態の電線と端子の接続構造の場合は、第１実施形態の場合の作用・効果に加えて、次の作用・効果を得ることができる。
【００６４】
即ち、第２実施形態の電線と端子の接続構造の場合は、構成部品の組立誤差等によって、コネクタハウジング２０内の端子金具１０Ａの端子嵌合部１１と、該端子嵌合部１１上に重ねられる電線接続針４０の端子接触部４２との間の寸法にばらつきが発生する場合でも、端子嵌合部１１と端子接触部４２との間に介在するばね部材１５の圧縮変形が、寸法のばらつきを吸収して、端子嵌合部１１と端子接触部４２との間に安定した接触圧を確保することができる。従って、組立誤差の影響で端子金具１０Ａと電線接続針４０との電気的な接続性能が低下することがなく、良好な接続性能を維持することができる。
【００６５】
被覆電線１００と端子金具１０Ａとの接続は、ハウジングカバー３０に形成された穴３０ａに、コネクタハウジング２０に形成された突起２０ａが係止されることにより維持されると共に、電線接続針４０を被覆電線１００に挿入した時の圧力により発生する金属間結合（凝着）により保持される。
【００６６】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６７】
例えば、端子金具は、芯線１０２が電線接続針４０を介して端子嵌合部１１に導通接続されるため、端子嵌合部１１に連設されている電線載置部１２を省略する構造としてもよい。
【００６８】
また、一括して導通接続する端子金具や被覆電線の数量は、実施例の形態に限らず、任意の数量に変更することができる。
【００６９】
また、場合によっては、コネクタハウジング２０において、端子収容部２１や電線収容部２２や開口部２３は、ハウジングの上下２段にそれぞれ形成するようにしても良い。
【００７０】
ここで、上述した本発明に係る電線と端子の接続構造の実施形態の特徴をそれぞれ以下［１］〜［３］に簡潔に纏めて列記する。
【００７１】
［１］  複数本の素線を撚り束ねた芯線（１０２）と、この芯線（１０２）の周囲を覆う絶縁被覆（１０３）と、を有する複数の被覆電線（１００）と、
相手の接続端子に嵌合接続する端子嵌合部（１１）を有した複数の端子金具（１０）と、
複数の前記端子金具（１０）を所定の配列ピッチで平面状に収容する端子収容部（２１）と、該端子収容部（２１）に隣接する位置において複数の前記被覆電線（１００）を平面状に収容する電線収容部（２２）と、前記端子収容部（２１）と前記電線収容部（２２）とに跨る範囲を外部に開放して各前記端子金具（１０）の前記端子嵌合部（１１）の一部及び各前記被覆電線（１００）の一部を外部に露呈させる開口部（２３）と、を備えた絶縁樹脂製のコネクタハウジング（２０）と、
前記開口部（２３）を開閉可能に覆うハウジングカバー（３０）と、
前記ハウジングカバー（３０）により前記開口部（２３）を覆うカバー取り付け操作で前記被覆電線（１００）に突き刺さって前記芯線（１０２）と導通状態になる突刺針部（４１）と、該突刺針部（４１）の端部に連設されて前記カバー取り付け操作で前記端子嵌合部（１１）の上に重なり前記端子嵌合部（１１）と導通状態になる端子接触部（４２）と、を備え、複数の前記端子金具（１０）の配列ピッチに相応する配列ピッチで前記ハウジングカバー（３０）の内面に装備された導電材料製の複数の電線接続針（４０）と、
を備え、
複数の前記端子金具（１０）と複数の前記被覆電線（１００）とを収容させた前記コネクタハウジング（２０）の前記開口部（２３）に前記カバー取り付け操作を行うことで、複数の前記被覆電線（１００）と複数の前記端子金具（１０）との導通接続が完了し、また、複数の前記被覆電線（１００）と複数の前記端子金具（１０）とが前記コネクタハウジング（２０）に収容されて保護された状態になることを特徴とする電線と端子の接続構造。
【００７２】
［２］  前記突刺針部（４１）は、前記被覆電線（１００）の軸線方向と鋭角な進入角（θ）で交差する傾斜状態に、前記ハウジングカバー（３０）に取り付けられ、
前記ハウジングカバー（３０）は、前記進入角（θ）に沿って前記コネクタハウジング（２０）に取り付けられることで、前記突刺針部（４１）が前記被覆電線（１００）に対して傾斜状態に突き刺さった状態が得られることを特徴とする上記［１］に記載の電線と端子の接続構造。
【００７３】
［３］  前記端子嵌合部（１１）の前記端子接触部（４２）が重なる位置には、前記端子接触部（４２）が重なったときに圧縮変形して、所定の接触圧を発生する導電材料製のばね部材（１５）が装備されていることを特徴とする上記［１］又は［２］に記載の電線と端子の接続構造。
【符号の説明】
【００７４】
１０  端子金具
１１  端子嵌合部
１５  ばね部材
２０  コネクタハウジング
２１  端子収容部
２２  電線収容部
２３  開口部
３０  ハウジングカバー
４０  電線接続針
４１  突刺針部
４２  端子接触部
１００  被覆電線
１０２  芯線
１０３  絶縁被覆
θ  進入角
【図１】
2014022274.tif 000003
【図２】
2014022274.tif 000004
【図３】
2014022274.tif 000005
【図４】
2014022274.tif 000006
【図５】
2014022274.tif 000007
【図６】
2014022274.tif 000008
【図７】
2014022274.tif 000009
【図８】
2014022274.tif 000010
【図９】
2014022274.tif 000011
【図１０】
2014022274.tif 000012
【図１１】
2014022274.tif 000013